(57)【要約】 【課題】流下する玉を一段一列に整列させることなく円滑に玉を一球ずつ払い出すことができる遊技機の玉払出装置及びこれを備えた玉通路装置を提供する。【解決手段】球受け用の凹部７１が形成された二つのスプロケット７と、凹部７１の位置をずらして二つのスプロケット７が固定された回転軸５とからなる回転体５０と、この回転体５０を水平状態に支承する筐体６とを備え、筐体６の上部には２段２列以上３段３列未満の玉が流入可能な玉入り口６１、玉導入路６５を設け、筐体６の下方には玉払出通路６３を設けたうえに、玉導入路６と玉払出通路６３との間に、二つのスプロケット７が固定された回転軸５を介在させて、回転軸５の回転により二つのスプロケット７の凹部７１に玉を交互に取り込んで、一球ずつ玉払出通路６３に払い出すようにした。【選択図】  図３
2011019656.tif 000002
【特許請求の範囲】
【請求項１】
複数の球受け部が設けられた回転体と、この回転体を水平状態に支承する筐体とを備える遊技機の玉払出装置であって、筐体の上部には２段２列以上３段３列未満の玉が流入可能な玉導入路を設け、筐体の下部には玉計数センサーを備えた玉払出通路を設けたうえに、玉導入路と玉払出通路との間に前記回転体を介在させて、２段２列以上３段３列未満の状態で玉導入路に流れ込んだ玉を、回転する回転体の球受け部に取り込んで、この玉を一球ずつ玉払出通路に払い出すようにしたことを特徴とする遊技機の玉払出装置。
【請求項２】
回転体は、外周に球受け用の凹部が形成された二つのスプロケットと、これらのスプロケットが前記凹部の位置を回転方向にずらして固定された回転軸からなるものとして、凹部に取り込んだ球を二つのスプロケットから交互に払い出すようにした請求項１に記載の遊技機の玉払出装置。
【請求項３】
請求項１又は２に記載の玉払出装置が凹溝状の玉通路樋の下流側端部に配設された玉通路装置であって、前記玉通路樋は、横幅と高さが玉２個分超〜３個分未満の寸法であって、底面に山形突条が配設されて２本の玉案内溝が長手方向に形成されていることを特徴とする遊技機の玉通路装置。
【発明の詳細な説明】
【技術分野】
【０００１】
本発明は、上流の玉タンクから送り込まれた玉を賞球として一球ずつ払い出すための遊技機の玉払出装置及びこれを備えた玉通路装置に関するものである。
【背景技術】
【０００２】
パチンコ機の裏面には、機構盤が設けられ、この機構盤の上部には賞玉を貯留するための玉タンクが配設されている。玉タンクの下方には玉通路樋が接続されている。従来、玉通路樋（玉整列レール）によって整列（特に一段に整列）させてから玉払出装置で払い出すものがあった。しかし、２段から１段に整列させる部分で玉噛みが起こるので、その部分に揺動する錘をぶら下げたり（特許文献１）、振動させたり（特許文献２、３）して、玉噛みを解消していた。しかし、前者は確実性に欠け、後者は別途動力が必要になるという問題があった。
そこで、後者の玉崩し用の動力を払出用の動力で賄う、つまり、無整列のままの玉タンクから直接玉払出装置で崩しながら整列させて払い出すものが考えられている（特許文献４）。しかし、無整列のままであると、図８に示すようなアーチ（トンネル）状の玉噛みが起こる可能性を排除することが出来なかった。
【先行技術文献】
【特許文献】
【０００３】
【特許文献１】特開平０７−０３１７１９号公報
【特許文献２】特開平０７−０９６０７７号公報
【特許文献３】特開平０８−１４１１７６号公報
【特許文献４】特開２０００−１８９６１８号公報
【発明の概要】
【発明が解決しようとする課題】
【０００４】
本発明は、上記した従来の問題点に鑑み、流下する玉を一段一列に整列させることを必要とせず、これによって玉詰まりを防止して玉を一球ずつ下流に払い出すことができる遊技機の玉払出装置及びこれを備えた玉通路装置を提供することを課題とする。
【課題を解決するための手段】
【０００５】
本願発明においては、玉通路樋によって玉を１段×１列には整列させないが、アーチ（トンネル）状の玉噛みが起きない程度の２段２列以上３段３列未満に整列させてのち玉払出装置によって玉列を崩しながら１列１段の状態で払い出す構造とした。ここで２段とは２個の玉が上下に積み重なった状態をいい、２列とは２個の玉が横に連なった状態をいう。また、３段未満とは、玉が垂直に３段に積み重なっておらず一部の玉が横ずれしてジクザグ状に３個の玉が積み重なった状態をいい、３列未満とは玉が水平に３列に連なっておらず一部の玉が上方にずれて３個の玉が連なった状態をいう。
【０００６】
上記の課題を解決するためになされた本発明に係る遊技機の玉払出装置は、複数の球受け部が設けられた回転体と、この回転体を水平状態に支承する筐体とを備える遊技機の玉払出装置であって、筐体の上部には２段２列以上３段３列未満の玉が流入可能な玉導入路を設け、筐体の下部には玉計数センサーを備えた玉払出通路を設けたうえに、玉導入路と玉払出通路との間に前記回転体を介在させて、２段２列以上３段３列未満の状態で玉導入路に流れ込んだ玉を、回転する回転体の球受け部に取り込んで、この玉を一球ずつ玉払出通路に払い出すようにしたことを特徴とするものである。
【０００７】
上記した発明において、回転体を、外周に球受け用の凹部が形成された二つのスプロケットと、これらのスプロケットが前記凹部の位置を回転方向にずらして固定された回転軸からなるものとして、凹部に取り込んだ球を二つのスプロケットから交互に払い出すようにすることができる。
【０００８】
また、本発明の玉通路装置は、請求項１又は２又は３に記載の玉払出装置が凹溝状の玉通路樋の下流側端部に配設された玉通路装置であって、前記玉通路樋は、横幅と高さが玉２個分超〜３個分未満の寸法であって、底面に山形突条が配設されて２本の玉案内溝が長手方向に形成されていることを特徴とするものである。
【発明の効果】
【０００９】
請求項１に係る玉払出装置は、玉を２段２列以上３段３列未満の状態として筐体内に流れ込ませるとともに回転体を回転させて玉を二つの球受け部に取り込むことができるので、玉を一段一列にすることを要せず、これによって玉詰まりの発生を防止することができる。そして、玉を球受け部に一球ずつ取り込んでこの球を玉払出通路に払い出すことができる。
請求項２に係る玉払出装置は、玉を二つのスプロケットの凹部に交互に取り込んで一球ずつ玉払出通路に払い出すことができる。
請求項３に係る発明は、玉通路樋で玉を２段２列以上３段３列未満の状態として玉払出装置に送り込むことができる。
【図面の簡単な説明】
【００１０】
【図１】玉通路装置の正面図である。
【図２】玉通路装置の平面図である。
【図３】玉払出装置の正面の断面図である。
【図４】図３のＡ−Ａ線断面図である。
【図５】玉払出装置の背面図である。
【図６】玉払出装置の平面図である。
【図７】図３のスプロケットの凹部との位置関係を示す説明図である。
【図８】アーチ状の玉詰まり状態を示す玉通路樋の断面図である。
【発明を実施するための形態】
【００１１】
以下に、本発明の実施形態に付いて説明する。
図１〜７は、本発明の実施形態を示す図であって、１は玉タンク、２は玉タンクに接続して設けられた玉通路装置であって、この玉通路装置２は、玉通路樋３と玉払出装置４とからなる。
【００１２】
玉通路樋３は、凹溝状に形成されていて、横幅が玉２個分超〜３個分未満（玉直径が１１ｍｍの場合には、２２ｍｍ超〜３３ｍｍ未満）である。また、側面３１の高さも玉２個分超〜３個分未満としてある。玉通路３の幅や高さを玉二個分より大なるものとしたので、二つの玉が横方向あるいは上下方向に並んで引き起こす玉詰まりを完全に防止することができる。玉通路樋３の底面は中央が高く両サイドが低くて長手方向に伸びる山形突条３２が形成されていて、玉通路樋３の両側が玉案内溝３３となっている。
【００１３】
玉払出装置４は、玉通路樋３の下流側端部に配置されていて、この下方に賞玉を払い出すための玉誘導路（図示していない）が接続されている。玉払出装置４は、モータＭにより回転される回転体５０と、回転体５０の両端を水平状態に支承する筐体６とからなる。
【００１４】
筐体６は、上部に玉通路樋３からの玉を取り込む玉入り口６１を有し、これに連通して玉導入路６５が形成されている（図３）。玉導入通路６５の下方には玉計数センサー６２を備えた玉払出通路６３が筐体６の一方の側面に寄せて形成されている。玉導入通路６５と玉払出通路６３との間に、回転軸５に二つのスプロケット７を備えた回転体５０が水平状態に介装されており、この回転体５０はモータＭにより回転される。６４は、メンテナンス等でパチンコ機内の玉を抜くときの玉抜き通路であって、遊技中は用いられない。球を抜くときはモータＭは逆回転される。
【００１５】
玉入り口６１は、玉通路樋３と同じく幅、高さとも玉２個分超〜３個分未満としてあって、二個の玉による玉詰まりを防止してある。玉導入路６５は、水平断面形状が正方形乃至矩形であって、その横幅、縦幅（高さ）は図３、４に示すように、玉２個分超〜３個分未満として玉詰まりを防止してある。また、回転体５０の横側の筐体側面には凹状壁面６６が形成してあって、回転軸外周面と凹状壁面６６との間には、玉一個が通過可能な隙間が設けてあって玉は下方に流下することができる。
【００１６】
回転軸５には、二つのスプロケット７ａ、７ｂが所要間隔をおいて固定されている。この間隔は、スプロケット７ａ、７ｂが対向する筐体５側面との間で玉１個を受入可能な間隔としてある。スプロケット７は外周に３つの玉受け用の凹部（球受け部）７１を有している。スプロケット７ａと７ｂの凹部７１の位置は、図３、図７に対比して示すように、一方のスプロケット７ａの凹部７１に他方のスプロケット７ｂの鍔部が位置するようにずらしてあって、一方のスプロケット例えば７ａの凹部７１に玉が入るときには、他方のスプロケット７ｂにおいて玉はスプロケット７ｂの鍔部の外縁部に乗っかっておりその凹部７１に玉が入り込まないように構成されている（図４）。スプロケット７の鍔部先端には内側に向かって斜めに面取り部７２が形成されているので、スプロケット７ａの凹部７１に玉がないときには、他方のスプロケット７ｂの鍔部外縁部に乗っている玉がスプロケット７ａの凹部７１に入り込むようになっている。したがって、スプロケット７ａの凹部７１とスプロケット７ｂの凹部７１は、交互に玉の受入、払出しを行うことができる。
【００１７】
玉払出通路６３は、回転軸５直下から玉計数センサー６２にかけて玉一個が通過可能な幅に縮幅されている。回転軸５からは玉一個が交互に払い出されるので、玉払出通路６３を玉２個分程度から１個分程度の幅に縮幅しても玉が詰まることはない。
【００１８】
以上のように構成されたものにおいて、玉タンク１から送出された玉は玉通路樋３内を下流に流下する。玉は山形突条３２によって綺麗に二本の案内溝３３に振り分けられるわけではなく山形突条３２の頂部に存在したりして、玉通路樋３内を２段２列などの渾然となった状態で流下する。そして、玉は玉入り口６１から筐体６内に流入し、玉導入路６５に２段２列以上３段３列未満となって流れ込む。玉の払い出し状態においてはスプロケット７の回転により玉列は撹拌されながら崩されるので、玉導入路６５には玉が完全に充満せず撹拌移動が可能な遊び空間が残されていることが必要である。スプロケット７が回転されて玉は二つのスプロケット７ａ、７ｂの凹部７１に交互に入り込んだうえ、一球ずつ下方の玉払出通路６３に送出される。
【００１９】
以上のように、玉はスプロケット７に取り込まれるまで通路の高さや幅が玉２個分以下に縮小されることがないので、２個の玉により玉詰まりを引き起こすことなく玉の払い出しを続行することができる。そして、計数センサー６２が通過した玉の数をカウントし、所定の数に達したらスプロケット７の回転は停止される。本願発明は、玉を一段一列に整列させる必要がないので、玉詰まりを引き起こす危険性が格段に低下されるという有利な効果がある。
【符号の説明】
【００２０】
５  回転軸、６  筐体、７  スプロケット、５０  回転体、６１  玉入り口、６３玉払出通路、６５  玉導入路、７１  球受け用の凹部、
【図１】
2011019656.tif 000003
【図２】
2011019656.tif 000004
【図３】
2011019656.tif 000005
【図４】
2011019656.tif 000006
【図５】
2011019656.tif 000007
【図６】
2011019656.tif 000008
【図７】
2011019656.tif 000009
【図８】
2011019656.tif 000010